(57)【要約】      （修正有）【課題】トーリックレンズを提供する。【解決手段】対向に設置された第１の表面と第２の表面と、それぞれ第１の表面にトーリックレンズの径方向Ｒに沿った第１の曲率を有し、且つ第１の曲率がトーリックレンズの円弧方向Ｓに沿って固定値となる２つの第１の扇形領域１３０と、第１の扇形領域１３０と交互に配列され、それぞれ第１の表面に径方向Ｒに沿った第２の曲率を有し、且つ第２の曲率が円弧方向Ｓに沿って固定値となり、第１の曲率の勾配が第２の曲率よりも大きい２つの第２の扇形領域１４０と、を含み、また、第１の曲率が円弧方向Ｓに沿って固定値となるため、トーリックレンズが回転しても、特定の角度範囲において、患者が依然として明らかな視野を体験でき、単一の場合、乱視軸が第１の扇形領域１３０に位置した色々な患者の着用に適用されることができるトーリックレンズ。【選択図】図１
2019053317.tif 000002
【特許請求の範囲】
【請求項１】
対向に設置された第１の表面と第２の表面と、
それぞれ前記第１の表面に前記トーリックレンズの径方向に沿った第１の曲率を有し、且つ前記第１の曲率が前記トーリックレンズの円弧方向に沿って固定値となる２つの第１の扇形領域と、
前記第１の扇形領域と交互に配列され、それぞれ前記第１の表面に前記径方向に沿った第２の曲率を有し、且つ前記第２の曲率が前記円弧方向に沿って固定値となり、前記第１の曲率の勾配が前記第２の曲率よりも大きい２つの第２の扇形領域と、
を含むトーリックレンズ。
【請求項２】
互いに垂直である水平子午線と垂直子午線を更に含み、前記トーリックレンズの前記水平子午線に沿った最大厚さが前記トーリックレンズの前記垂直子午線に沿った最大厚さよりも大きい請求項１に記載のトーリックレンズ。
【請求項３】
複数の前記第１の扇形領域のそれぞれの中心角と、複数の前記第２の扇形領域のそれぞれの中心角の何れも約９０度である請求項１又は２に記載のトーリックレンズ。
【請求項４】
複数の前記第１の扇形領域のそれぞれと、前記第１の扇形領域に隣接する前記第２の扇形領域の一方との間の境界は、前記水平子午線との夾角が約４５度である請求項３に記載のトーリックレンズ。
【請求項５】
前記水平子午線が、前記２つの第１の扇形領域を通過する請求項４に記載のトーリックレンズ。
【請求項６】
前記水平子午線が、前記２つの第２の扇形領域を通過する請求項４に記載のトーリックレンズ。
【請求項７】
複数の前記第１の扇形領域のそれぞれと、前記第１の扇形領域に隣接する前記第２の扇形領域の一方との間の境界が、前記水平子午線又は前記垂直子午線に位置する請求項３に記載のトーリックレンズ。
【請求項８】
前記第１の扇形領域が前記水平子午線から約０度〜約９０度の間に設置され、且つ前記第２の扇形領域が前記水平子午線から約９０度〜約１８０度の間に設置される請求項７に記載のトーリックレンズ。
【請求項９】
前記第２の扇形領域が前記水平子午線から約０度〜約９０度の間に設置され、且つ前記第１の扇形領域が前記水平子午線から約９０度〜約１８０度の間に設置される請求項７に記載のトーリックレンズ。
【請求項１０】
前記第１の扇形領域と前記第２の扇形領域とをブリッジする４つの第３の扇形領域を更に含む請求項２に記載のトーリックレンズ。
【請求項１１】
複数の前記第３の扇形領域のそれぞれが、前記第１の表面に前記径方向に沿った第３の曲率を有し、且つ前記第３の曲率が前記円弧方向に沿って前記第１の曲率から前記第２の曲率まで逓減する請求項１０に記載のトーリックレンズ。
【請求項１２】
複数の前記第３の扇形領域のそれぞれの中心角が約１０度よりも小さい請求項１０に記載のトーリックレンズ。
【請求項１３】
複数の前記第１の扇形領域のそれぞれの中心角が複数の前記第２の扇形領域のそれぞれの中心角の何れとも同じである請求項１０に記載のトーリックレンズ。
【請求項１４】
前記水平子午線が、前記第１の扇形領域を通過する請求項１０に記載のトーリックレンズ。
【請求項１５】
前記水平子午線が、前記第２の扇形領域を通過する請求項１０に記載のトーリックレンズ。
【請求項１６】
前記水平子午線が、前記第３の扇形領域を通過する請求項１０に記載のトーリックレンズ。
【請求項１７】
前記第１の表面は、コンタクトレンズのフロントカーブ面であり、且つ前記第２の表面は、前記コンタクトレンズのベースカーブ面である請求項１に記載のトーリックレンズ。
【請求項１８】
前記第１の表面は、コンタクトレンズのベースカーブ面であり、且つ前記第２の表面は、前記コンタクトレンズのフロントカーブ面である請求項１に記載のトーリックレンズ。
【請求項１９】
前記第１の表面が、凸面又は凹面である請求項１に記載のトーリックレンズ。
【請求項２０】
前記第２の表面が、凸面又は凹面である請求項１に記載のトーリックレンズ。
【発明の詳細な説明】
【技術分野】
【０００１】
本発明は、視力矯正用のトーリックレンズに関する。
【背景技術】
【０００２】
レンズは、視力矯正用の光学素子である。トーリックレンズは、乱視矯正に用いられる。乱視は、ぼやけた視力を主な症状とする視力疾患である。乱視患者の目（角膜）の前面には、不正な曲率がある。この曲線は、不規則であり、通常、半分の勾配が他の半分の勾配よりも大きく、一般的に、ある領域の勾配が正常よりも大きい。光線が目に入ると、角膜に焦点が正確的に合わないため、ぼやけた画像が発生する。乱視は、角膜の後に位置する不規則形状のレンズによるものである場合もある。
【発明の概要】
【発明が解決しようとする課題】
【０００３】
１９８０年代から、市販のものとして、乱視矯正用のコンタクトレンズが現れた。これらのコンタクトレンズは、それなりの効果を有するが、レンズ設計が複雑だと考えられる。更に悪いことには、患者の視力矯正要求を満足するために、３０００よりも大きい在庫保管単位（ｓｋｕ）が必要とされる。これにより、レンズメーカの生産と倉庫保管の負荷が増大するだけでなく、同時に、セールスマンとアイケアの専門家全体にも大きくて複雑な庫存保留の負荷がかけられてしまう。また、レンズは、視力矯正の要求に応えるために、厚みが要求され、生産が困難となるとともに、酸素透過性の低下により目が不快適になり、また臨床上、不健康となる。
【０００４】
以上の原因により、メーカの工程の簡単化、在庫コストの低減だけでなく、レンズの着用快適性及び目の健康の改善を達成することができる、乱視矯正可能な敏感で新規なレンズ設計が望まれている。
【課題を解決するための手段】
【０００５】
本発明の一態様は、対向に設置された第１の表面と第２の表面と、それぞれ第１の表面にトーリックレンズの径方向に沿った第１の曲率を有し、且つ第１の曲率がトーリックレンズの円弧方向に沿って固定値となる２つの第１の扇形領域と、第１の扇形領域と交互に配置し、それぞれ第１の表面に径方向に沿った第２の曲率を有し、且つ第２の曲率が円弧方向に沿って固定値となり、第１の曲率の勾配が第２の曲率よりも大きい２つの第２の扇形領域と、を含むトーリックレンズを提供する。
【０００６】
１つ又は複数の実施形態において、トーリックレンズは、互いに垂直である水平子午線と垂直子午線を更に含み、トーリックレンズの水平子午線に沿った最大厚さがトーリックレンズの垂直子午線に沿った最大厚さよりも大きい。
【０００７】
１つ又は複数の実施形態において、複数の第１の扇形領域のそれぞれの中心角と、複数の第２の扇形領域のそれぞれの中心角の何れも約９０度である。
【０００８】
１つ又は複数の実施形態において、複数の第１の扇形領域のそれぞれと、前記第１の扇形領域に隣接する第２の扇形領域の一方との間の境界は、水平子午線との夾角が約４５度である。
【０００９】
１つ又は複数の実施形態において、水平子午線は、第１の扇形領域を通過する。
【００１０】
１つ又は複数の実施形態において、水平子午線は、第２の扇形領域を通過する。
【００１１】
１つ又は複数の実施形態において、複数の第１の扇形領域のそれぞれと、前記第１の扇形領域に隣接する第２の扇形領域の一方との間の境界は、水平子午線又は垂直子午線に位置する。
【００１２】
１つ又は複数の実施形態において、第１の扇形領域が水平子午線から約０度〜約９０度の間に設置され、且つ第２の扇形領域が水平子午線から約９０度〜約１８０度の間に設置される。
【００１３】
１つ又は複数の実施形態において、第２の扇形領域が水平子午線から約０度〜約９０度の間に設置され、且つ第１の扇形領域が水平子午線から約９０度〜約１８０度の間に設置される。
【００１４】
１つ又は複数の実施形態において、トーリックレンズは、第１の扇形領域と第２の扇形領域とをブリッジする４つの第３の扇形領域を更に含む。
【００１５】
１つ又は複数の実施形態において、複数の第３の扇形領域のそれぞれは、第１の表面に径方向に沿った第３の曲率を有し、且つ第３の曲率が円弧方向に沿って第１の曲率から第２の曲率まで逓減する。
【００１６】
１つ又は複数の実施形態において、複数の第３の扇形領域のそれぞれの中心角が約１０度よりも小さい。
【００１７】
１つ又は複数の実施形態において、複数の第１の扇形領域のそれぞれの中心角が複数の第２の扇形領域のそれぞれの中心角の何れとも同じである。
【００１８】
１つ又は複数の実施形態において、水平子午線は、第１の扇形領域を通過する。
【００１９】
１つ又は複数の実施形態において、水平子午線は、第２の扇形領域を通過する。
【００２０】
１つ又は複数の実施形態において、水平子午線は、第３の扇形領域を通過する。
【００２１】
１つ又は複数の実施形態において、第１の表面は、コンタクトレンズのフロントカーブ面であり、且つ第２の表面は、コンタクトレンズのベースカーブ面である。
【００２２】
１つ又は複数の実施形態において、第１の表面は、コンタクトレンズのベースカーブ面であり、且つ第２の表面は、コンタクトレンズのフロントカーブ面である。
【００２３】
１つ又は複数の実施形態において、第１の表面は、凸面又は凹面である。
【００２４】
１つ又は複数の実施形態において、第２の表面は、凸面又は凹面である。
【００２５】
本実施形態において、第１の曲率が円弧方向に沿って固定値となるため、トーリックレンズが回転しても、特定の角度範囲において、患者が依然として明らかな視野を体験できる。また、本実施形態の単一のトーリックレンズは、乱視軸が第１の扇形領域に位置した色々な患者の着用に適用されることができる。
【図面の簡単な説明】
【００２６】
【図１】本発明の第１の実施形態に係るトーリックレンズの正面図である。
【図２Ａ】図１の垂直子午線に沿った一実施形態の断面図である。
【図２Ｂ】図１の水平子午線に沿った断面図である。
【図３】本発明の第２の実施形態に係るトーリックレンズの正面図である。
【図４】本発明の第３の実施形態に係るトーリックレンズの正面図である。
【図５】本発明の第４の実施形態に係るトーリックレンズの正面図である。
【図６】図１の垂直子午線に沿った別の実施形態の断面図である。
【図７】本発明の第５の実施形態に係るトーリックレンズの正面図である。
【図８】図７の線分８‐８に沿った断面図である。
【図９】本発明の第６の実施形態に係るトーリックレンズの正面図である。
【図１０】本発明の第７の実施形態に係るトーリックレンズの正面図である。
【図１１】本発明の第８の実施形態に係るトーリックレンズの正面図である。
【発明を実施するための形態】
【００２７】
以下、図面で本発明の複数の実施形態を開示し、明らかに説明するために、多くの実際の細部を下記の叙述で合わせて説明する。しかしながら、理解すべきなのは、これらの実際の細部が、本発明を制限するためのものではないということである。つまり、本発明の実施形態の一部においては、これらの実際の細部は、必要ないものである。また、図面を簡略化するために、ある従来慣用の構造及び素子は、図面において簡単で模式的に示される。
【００２８】
図１は、本発明の第１の実施形態に係るトーリックレンズの正面図である。図２Ａは、図１の垂直子午線１７０に沿った一実施形態の断面図である。図２Ｂは、図１の水平子午線１６０に沿った断面図である。トーリックレンズは、第１の表面１１０と、第２の表面１２０と、２つの第１の扇形領域１３０と、２つの第２の扇形領域１４０と、を含む。第１の表面１１０と第２の表面１２０とが対向に設置される。複数の第１の扇形領域１３０のそれぞれは、第１の表面１１０にトーリックレンズの径方向Ｒに沿った第１の曲率Ｃ１を有し、且つ第１の曲率Ｃ１がトーリックレンズの円弧方向Ｓに沿って固定値となる。第２の扇形領域１４０と第１の扇形領域１３０とが交互に配列される。複数の第２の扇形領域１４０のそれぞれは、第１の表面１１０に径方向Ｒに沿った第２の曲率Ｃ２を有し、且つ第２の曲率Ｃ２が円弧方向Ｓに沿って固定値となる。第１の曲率Ｃ１の勾配が第２の曲率Ｃ２よりも大きい。図１の正面図に示すように、複数の第１の扇形領域１３０のそれぞれは、何れも半径ｒ１を有し、且つ複数の第２の扇形領域１４０のそれぞれは、何れも半径ｒ２を有する。第１の曲率Ｃ１の勾配が第２の曲率Ｃ２よりも大きいため、半径ｒ１の長さが半径ｒ２よりも小さい。
【００２９】
本実施形態において、第１の扇形領域１３０は、患者の乱視矯正に用いられる。一般的に、乱視患者の目の前面は、理想的な曲率を有さない。その曲線が不規則であり、通常、半分の勾配が他の半分よりも大きいので、乱視を矯正するために光学系（例えば、コンタクトレンズ）が必要とされる。光学系を不適切に着用すれば、視野がぼやけになるおそれがある。例えば、従来の構造を持つ光学系がただ５度だけ回転すると、視野がぼやけになる。逆に、本実施形態においては、第１の曲率Ｃ１が円弧方向Ｓに沿って固定値となる。つまり、トーリックレンズが回転しても、ある特定の角度範囲において、患者が依然として明らかな視野を体験できる。また、本実施形態の単一のトーリックレンズは、乱視軸が第１の扇形領域１３０に位置した色々な患者の着用に適用できる。そのため、トーリックレンズの販売店、診療所等では、少量の異なった種類のトーリックレンズの現物を準備すれば、乱視患者の大部分をサービスすることができる。
【００３０】
本実施形態において、第１の曲率Ｃ１が柱面度数曲線であってもよく、第２の曲率Ｃ２が球面度数曲線であってもよいが、本発明はこれに限定されない。
【００３１】
本実施形態において、トーリックレンズは、水平子午線１６０と、垂直子午線１７０と、を更に含む。水平子午線１６０と垂直子午線１７０とは互いに垂直である。水平子午線１６０は患者の両目の間の仮想接続線（以下、「接続線」という）に実質的に平行であり、垂直子午線１７０は接続線に実質的に垂直である。トーリックレンズの水平子午線１６０に沿った最大厚さＴ１が、トーリックレンズの垂直子午線１７０に沿った最大厚さＴ２よりも大きい。このように設置すれば、トーリックレンズの良好な安定性を提供することができ、また、患者がトーリックレンズを着用する場合、トーリックレンズの過回転を避けることができる。理解すべきなのは、本実施形態に係るトーリックレンズは、ある特定の角度範囲での回転が許可されるため、最大厚さＴ１が最適な安定性結構を備える従来のトーリックレンズの最大厚さよりも小さいことである。つまり、従来のトーリックレンズに比べて、本実施形態に係るトーリックレンズの厚さと重量の何れも降下するため、患者の快適性を向上させることができる。
【００３２】
本実施形態において、複数の第１の扇形領域１３０のそれぞれの円心角θ１と複数の第２の扇形領域１４０のそれぞれの円心角θ２の何れも約９０度である。そのため、９０度の角度範囲で、何れの患者も明らかな視野を体験できるため、従来のトーリックレンズに比べて、本実施形態に係るトーリックレンズの回転許容範囲（ｔｏｌｅｒａｎｃｅ）が増大する。
【００３３】
本実施形態において、複数の第１の扇形領域１３０のそれぞれと、当該第１の扇形領域１３０に隣接する第２の扇形領域１４０の一方との間の境界Ｂは、水平子午線１６０との夾角が約４５度であり、且つ水平子午線１６０が２つの第２の扇形領域１４０を通過する。つまり、第１の扇形領域１３０の領域がそれぞれ水平子午線１６０から約４５度〜約１３５度の間、及び水平子午線１６０から約２２５度〜約３１５度の間に位置する。第２の扇形領域１４０の領域がそれぞれ水平子午線１６０から約１３５度〜約２２５度の間、及び水平子午線１６０から約３１５度〜約４５度の間に位置する。このような設置であれば、直（ｗｉｔｈ‐ｔｈｅ‐ｒｕｌｅ）乱視に悩んだ患者に着用されることができる。直乱視の乱視軸は、水平子午線１６０から約４５度〜約１３５度の間にある。
【００３４】
図３は、本発明の第２の実施形態に係るトーリックレンズの正面図である。第２の実施形態は、第１の扇形領域１３０と第２の扇形領域１４０の位置という点で、第１の実施形態と異なっている。本実施形態において、水平子午線１６０が２つの第１の扇形領域１３０を通過する。つまり、第１の扇形領域１３０の領域がそれぞれ水平子午線１６０から約１３５度〜約２２５度の間、及び水平子午線１６０から約３１５度〜約４５度の間に位置する。第２の扇形領域１４０の領域がそれぞれ水平子午線１６０から約４５度〜約１３５度の間、及び水平子午線１６０から約２２５度〜約３１５度の間に位置する。このような設置であれば、倒（ａｇａｉｎｓｔ‐ｔｈｅ‐ｒｕｌｅ）乱視に悩んだ患者に着用されることができる。倒乱視の乱視軸は水平子午線１６０から約０度〜約４５度の間、及び約１３５度〜約１８０度の間に位置する。
【００３５】
図４は、本発明の第３の実施形態に係るトーリックレンズの正面図である。第３の実施形態は、第１の扇形領域１３０と第２の扇形領域１４０の位置という点で、第１の実施形態と異なっている。本実施形態において、複数の第１の扇形領域１３０のそれぞれと、当該第１の扇形領域１３０に隣接する第２の扇形領域１４０の一方との間の境界Ｂは、水平子午線１６０又は垂直子午線１７０に位置する。第１の扇形領域１３０の領域がそれぞれ水平子午線１６０から約０度〜約９０度の間、及び水平子午線１６０から約１８０度〜約２７０度の間に位置する。第２の扇形領域１４０の領域がそれぞれ水平子午線１６０から約９０度〜約１８０度の間、及び水平子午線１６０から約２７０度〜約０度の間に位置する。このような設置であれば、斜（ｏｂｌｉｑｕｅ）乱視に悩んだ患者に着用されることができる。斜乱視の乱視軸が水平子午線１６０から約０度〜約９０度の間にある。
【００３６】
図５は、本発明の第４の実施形態に係るトーリックレンズの正面図である。第４の実施形態は、第１の扇形領域１３０と第２の扇形領域１４０の位置という点で、第３の実施形態と異なっている。本実施形態において、第２の扇形領域１４０の領域がそれぞれ水平子午線１６０から約０度〜約９０度の間、及び水平子午線１６０から約１８０度〜約２７０度の間に位置する。第１の扇形領域１３０の領域がそれぞれ水平子午線１６０から約９０度〜約１８０度の間、及び水平子午線１６０から約２７０度〜約０度の間に位置する。このような設置であれば、別種の斜（ｏｂｌｉｑｕｅ）乱視に悩んだ患者に着用されることができる。この斜乱視の乱視軸は水平子午線１６０から約９０度〜約１８０度の間にある。
【００３７】
図２Ａと図２Ｂとを併せて参照されたい。本実施形態において、トーリックレンズは、光軸が拡張領域を含むコンタクトレンズであってもよい。トーリックレンズが角膜で移動や回転するいずれの場合にも、この拡張領域は、角膜の軸方向光学需要が補正状態に維持されることを保証することができる。しかしながら、他の実施形態において、トーリックレンズは、眼内レンズ（ｉｎｔｒａｏｃｕｌａｒ  ｌｅｎｓ）、その他の眼科（ｏｐｈｔｈａｌｍｉｃ）レンズ又はその他の光学補正設計であってもよい。トーリックレンズは、多焦点（ｍｕｌｔｉｆｏｃａｌ）、二焦点（ｂｉｆｏｃａｌ）及び近視進行（ｍｙｏｐｉｃ  ｐｒｏｇｒｅｓｓｉｏｎ）抑制を含むが、本発明はこれに限定されない。トーリックレンズの第１の表面１１０は、凹面状のコンタクトレンズのベースカーブ面（ｂａｃｋ  ｓｕｒｆａｃｅ）であってもよく、且つ第２の表面１２０は、凸面状のコンタクトレンズのフロントカーブ面（ｆｒｏｎｔ  ｓｕｒｆａｃｅ）である。注意すべきなのは、ここのベースカーブ面とは、患者の目と接触する面を指すが、フロントカーブ面とは、ベースカーブ面に対向する面であることである。
【００３８】
トーリックレンズの設計は、球面、非球面円錐及び多曲線の球面、非球面又は球面曲線と非球面曲線の組み合せを含む何れのレンズアクセサリ幾何にも応用できる。
【００３９】
図６は、図１の垂直子午線１７０に沿った別の実施形態の断面図である。本実施形態は、第１の表面１１０と第２の表面１２０の位置という点で、図２Ａの実施形態と異なっている。本実施形態において、トーリックレンズの第１の表面１１０は、凸面状のコンタクトレンズのフロントカーブ面であってもよく、且つ第２の表面１２０は、凹面状のコンタクトレンズのベースカーブ面である。本実施形態の関連する結構細部については、図２Ａの実施形態と同じであるため、ここで繰り返して説明しない。
【００４０】
図７は、本発明の第５の実施形態に係るトーリックレンズの正面図である。図８は、図７の線分８‐８に沿った断面図である。第５の実施形態は、第３の扇形領域１５０の存在という点で、第１の実施形態と異なっている。本実施形態において、トーリックレンズは、第１の扇形領域１３０と第２の扇形領域１４０とをブリッジする４つの第３の扇形領域１５０を更に含む。複数の第３の扇形領域１５０のそれぞれは、第１の表面１１０に径方向Ｒに沿った第３の曲率Ｃ３を有し、且つ第３の曲率Ｃ３が円弧方向Ｓに沿って第１の曲率Ｃ１（例えば、図２Ｂに示す）から第２の曲率Ｃ２（例えば、図２Ａに示す）まで逓減する。図７の正面図に示すように、複数の第３の扇形領域１５０のそれぞれは、半径ｒ１から円弧方向Ｓに沿って半径ｒ２まで逓増する半径ｒ３を有する。
【００４１】
本実施形態において、複数の第３の扇形領域１５０のそれぞれの中心角θ３は約１０度よりも小さい。つまり、第３の扇形領域１５０の面積は第１の扇形領域１３０と第２の扇形領域１４０の何れの面積よりも小さい。
【００４２】
本実施形態において、複数の第１の扇形領域１３０のそれぞれの中心角θ１は複数の第２の扇形領域１４０のそれぞれの中心角θ２の何れとも同じである。例えば、全ての第３の扇形領域１５０の中心角θ３が何れも約１０度である場合、複数の中心角θ１とθ２の何れも約８０度であるが、本発明はこれに限定されない。
【００４３】
本実施形態において、水平子午線１６０は、第２の扇形領域１４０を通過する。このような設置であれば、直（ｗｉｔｈ‐ｔｈｅ‐ｒｕｌｅ）乱視に悩んだ患者に着用されることができる。中心角θ３が何れも約１０度である場合、この直乱視の乱視軸は水平子午線１６０から約５０度〜約１３０度の間にある。
【００４４】
図９、１０及び図１１は、本発明の第６、第７及び第８の実施形態に係るトーリックレンズの正面図である。図９を参照されたい。第６の実施形態において、水平子午線１６０は第１の扇形領域１３０を通過する。このような設置であれば、倒（ａｇａｉｎｓｔ‐ｔｈｅ‐ｒｕｌｅ）乱視に悩んだ患者に着用されることができる。中心角θ３の何れも約１０度である場合、この倒乱視の乱視軸は水平子午線１６０から約５度〜約４０度の間、及び約１４０度〜約１７５度の間にある。図１０と図１１を参照されたい。第７と第８の実施形態において、水平子午線１６０は、第３の扇形領域１５０を通過する。このような設置であれば、斜（ｏｂｌｉｑｕｅ）乱視に悩んだ患者に着用されることができる。中心角θ３が何れも約１０度である場合、図１０のトーリックレンズは、乱視軸が水平子午線１６０から約５度〜約８５度の間にある患者に応用されることができる。図１１のトーリックレンズは、乱視軸が水平子午線１６０から約９５度〜約１７５度の間にある患者に応用されることができる。第６〜第８の実施形態の関連する結構細部について、第５の実施形態と同じであるため、ここで繰り返して説明しない。
【００４５】
そのため、以上から、一定の度数範囲で、トーリックレンズの販売店、診療所等は、以上の８種類の異なった（例えば、図１、３‐５、７‐１０に示すように）のトーリックレンズの現物だけを準備すれば、乱視患者の大部分をサービスすることができることが判明される。このような設計によって、レンズメーカは、その全体製作プロセスと倉庫保管工程を簡単化させることができる。以上の８種類の実施形態に記載の設計によって、トーリックレンズの在庫保管単位（ｓｔｏｃｋ  ｋｅｅｐｉｎｇ  ｕｎｉｔ,  ｓｋｕ）が３０００から数百まで減少される。
【００４６】
従来のトーリックレンズに比べて、本発明に記載の各実施形態に係るトーリックレンズは、厚さと重量が何れも減少するため、患者の快適性が向上される。トーリックレンズが薄い厚さを有するため、その酸素透過性も向上し、これにより、患者の目の健康に寄与する。
【００４７】
ここで理解すべきなのは、本発明に記載の視力矯正用の新規設計は、その物質組成と物理状態に関係なく、全ての形態の物質に適用されることである。
【００４８】
本発明を好ましい実施例で前述の通り開示したが、これは、本発明を限定するためのものではなく、当業者であれば、本発明の精神と範囲から逸脱しない限り、多様の変更や修正を加えることができる。従って、本発明の保護範囲は、添付の特許請求の範囲で指定した内容を基準とする。
【符号の説明】
【００４９】
１１０  第１の表面
１２０  第２の表面
１３０  第１の扇形領域
１４０  第２の扇形領域
１５０  第３の扇形領域
１６０  水平子午線
１７０  垂直子午線
Ｂ  境界 
Ｃ１  第１の曲率
Ｃ２  第２の曲率
Ｃ３  第３の曲率
Ｒ  径方向
ｒ１、ｒ２、ｒ３  半径
Ｓ  円弧方向
Ｔ１、Ｔ２  最大厚さ
θ１、θ２、θ３  中心角
【図１】
2019053317.tif 000003
【図２Ａ】
2019053317.tif 000004
【図２Ｂ】
2019053317.tif 000005
【図３】
2019053317.tif 000006
【図４】
2019053317.tif 000007
【図５】
2019053317.tif 000008
【図６】
2019053317.tif 000009
【図７】
2019053317.tif 000010
【図８】
2019053317.tif 000011
【図９】
2019053317.tif 000012
【図１０】
2019053317.tif 000013
【図１１】
2019053317.tif 000014
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
対向に設置された第１の表面と第２の表面と、
それぞれ前記第１の表面に前記トーリックレンズの径方向に沿った第１の曲率を有し、
且つ前記第１の曲率が前記トーリックレンズの円弧方向に沿って固定値となる２つの第１
の扇形領域と、
前記第１の扇形領域と交互に配列され、それぞれ前記第１の表面に前記径方向に沿った
第２の曲率を有し、且つ前記第２の曲率が前記円弧方向に沿って固定値となり、前記第１
の曲率の勾配が前記第２の曲率よりも大きい２つの第２の扇形領域と、
を含むトーリックレンズ。